(57)【要約】【課題】動画を表示中であってファクシミリデータを受信した際に、動画の表示を継続して行いつつ動画の表示内容を制限するファクシミリ装置及びファクシミリ装置の動画再生方法を提供する。【解決手段】スライドショーや動画をＬＣＤ３７において表示する際にファクシミリデータを受信した場合に、ＲＡＭ１２の可変領域１２Ａの空き容量が状況に応じて第１所定量以上又は第２所定量以上あるか否かを判定し、第１所定量未満又は第２所定量未満であると判定された場合に、スライドショーや動画の表示を継続して行いつつ表示内容を制限するように構成する。【選択図】図９
2008211581.tif 000002
【特許請求の範囲】
【請求項１】
外部からイメージデータをファクシミリデータとして受信するデータ受信手段と、
前記受信手段で受信したファクシミリデータ及び動画データを記憶する記憶手段と、
前記記憶手段に記憶された動画データに基づいて動画を表示する動画表示手段と、を有するファクシミリ装置において、
前記動画表示手段に対して動画を表示中であって前記データ受信手段によりファクシミリデータを受信した際に、前記記憶手段の空き容量が所定容量未満であるか否か判定する容量判定手段と、
前記容量判定手段によって前記記憶手段の空き容量が所定容量未満であると判定された場合に前記動画の表示を継続して行いつつ動画の表示内容を制限する表示制限手段と、を有することを特徴とするファクシミリ装置。
【請求項２】
前記容量判定手段によって前記記憶手段の空き容量が所定容量未満であると判定された後に記憶手段の空き容量が所定容量以上に復帰したか否か判定する容量復帰判定手段と、
前記容量復帰判定手段によって前記記憶手段の空き容量が所定容量以上に復帰したと判定された場合に前記表示制限手段による表示内容の制限を解除する表示制限解除手段と、を有することを特徴とする請求項１に記載のファクシミリ装置。
【請求項３】
前記動画データは複数の画像データから構成され、
前記動画表示手段に表示される動画は前記複数の画像データに基づく静止画像を所定タイミングで切り替えて表示するスライドショーであり、
前記表示制限手段は前記静止画像の切り替えを中断することを特徴とする請求項１又は請求項２に記載のファクシミリ装置。
【請求項４】
前記表示制限解除手段は前記容量復帰判定手段によって前記記憶手段の空き容量が所定容量以上に復帰したと判定された場合に前記表示制限手段によって切り替えが中断された静止画像から切り替えを再開することを特徴とする請求項３に記載のファクシミリ装置。
【請求項５】
前記表示制限手段は前記動画表示手段において前記動画の表示を中断するとともに、前記動画に対応する音声を継続して再生することを特徴とする請求項１又は請求項２に記載のファクシミリ装置。
【請求項６】
前記表示制限解除手段は前記容量復帰判定手段によって前記記憶手段の空き容量が所定容量以上に復帰したと判定された場合に再生されている音声と同期する地点から前記動画の表示を再開することを特徴とする請求項５に記載のファクシミリ装置。
【請求項７】
前記表示制限手段は前記動画表示手段で表示される動画の解像度を下げることを特徴とする請求項１又は請求項２に記載のファクシミリ装置。
【請求項８】
前記表示制限手段は前記動画表示手段で表示される動画の表示サイズを縮小することを特徴とする請求項１又は請求項２に記載のファクシミリ装置。
【請求項９】
外部からイメージデータをファクシミリデータとして受信するとともに受信したファクシミリデータを記憶手段に記憶するデータ受信ステップと、
前記記憶手段に記憶された動画データに基づいて動画を表示する動画表示ステップと、を備えたファクシミリ装置の動画再生方法において、
動画表示ステップで動画を表示中であって、前記データ受信ステップによりファクシミリデータを受信した際に、前記記憶手段の空き容量が所定容量未満であるか否か判定する容量判定ステップと、
前記容量判定ステップによって前記記憶手段の空き容量が所定容量未満であると判定された場合に前記動画の表示を継続して行いつつ動画の表示内容を制限する表示制限ステップと、を有することを特徴とするファクシミリ装置の動画再生方法。
【発明の詳細な説明】
【技術分野】
【０００１】
本発明は、動画を表示する動画表示手段を備えたファクシミリ装置及びファクシミリ装置の動画再生方法に関する。
【背景技術】
【０００２】
従来、プリンタ機能、コピー機能、スキャナ機能及びファクシミリ機能などの複数の機能を１台でこなすデジタル複合機が商品化されている。このような複合機は、デジタルファクシミリ装置が基本的に備える原稿読取装置、画像形成装置及びファクシミリ通信装置の各装置を用途に応じて独立して動作させたり、一部の装置を組み合わせて動作させたりすることによって実現されるものである。
【０００３】
そして、このような複合機では、プリンタ機能を用いる際にプリント対象となる画像データを表示する為のカラー液晶パネル等が設けられていることが多い。このカラー液晶パネル等に対しては、複数の静止画像を所定時間間隔で切り替えて表示するスライドショーを表示したり、外部メモリに記憶された動画データやインターネット回線等を介してダウンロードした動画データに基づいて動画を表示することも行われている。ここで、このような動画をカラー液晶パネル等に表示する際には、動画データを構成する多数の静止画を順番にメモリ（ＲＡＭ）に展開し、ＶＲＡＭを介して液晶パネルへと転送することにより表示を行う。
【０００４】
一方で、複合機が備えるファクシミリ機能は、通信装置を通じて外部のネットワーク（電話回線網等）からイメージデータ（ファクシミリデータ）を取得し、そのファクシミリデータを印刷する。その際、ファクシミリデータを受信処理する方法としては、メモリ（ＲＡＭ）内に用意された作業領域に受信途中のファクシミリデータを蓄積し、ファクシミリデータの受信が正常に完了した時点で、そのメモリ内に蓄積されたファクシミリデータに印刷処理等を施す方法が知られている。
【０００５】
従って、動画（スライドショーを含む）を表示している途中に、ファクリミリデータの受信があった場合には、ＲＡＭにファクシミリデータを蓄積する容量が確保できず、受信ができなくなる虞があった。そこで、例えば特許文献１にはスラドショーの表示中に電話の着信があった場合に、スライドショーの表示を強制的に終了させる技術について記載されている。
【特許文献１】特開２００６−８１０５５号公報（第１０頁〜第１２頁、図６〜図８）
【発明の開示】
【発明が解決しようとする課題】
【０００６】
しかしながら、特許文献１に記載されているように、動画を表示している途中でファクリミリデータの受信があった場合に動画の表示を強制的に終了してしまうとすると、特に、受信したファクシミリデータと関係の無いユーザが動画を鑑賞していた場合に不利益が大きかった。即ち、一旦動画の表示が終了してしまうと、終了する直前から動画の表示を再開することが難しく、動画の表示を再開する為に多くの時間と労力が必要となっていた。
【０００７】
そこで、本発明は、上述した問題点を解決するためになされたものであり、動画の表示中にファクシミリデータを受信した場合にファクリミリデータの受信を確実に行いつつも、動画の表示を終了させてしまうことが無く、ユーザに対して継続して動画の鑑賞を可能としたファクシミリ装置及びファクシミリ装置の動画再生方法の提供を目的とする。
【課題を解決するための手段】
【０００８】
前記目的を達成するため請求項１に係るファクシミリ装置は、外部からイメージデータをファクシミリデータとして受信するデータ受信手段と、前記受信手段で受信したファクシミリデータ及び動画データを記憶する記憶手段と、前記記憶手段に記憶された動画データに基づいて動画を表示する動画表示手段と、を有するファクシミリ装置において、前記動画表示手段に対して動画を表示中であって前記データ受信手段によりファクシミリデータを受信した際に、前記記憶手段の空き容量が所定容量未満であるか否か判定する容量判定手段と、前記容量判定手段によって前記記憶手段の空き容量が所定容量未満であると判定された場合に前記動画の表示を継続して行いつつ動画の表示内容を制限する表示制限手段と、を有することを特徴とする。
【０００９】
また、請求項２に係るファクシミリ装置は、請求項１に記載のファクシミリ装置であって、前記容量判定手段によって前記記憶手段の空き容量が所定容量未満であると判定された後に記憶手段の空き容量が所定容量以上に復帰したか否か判定する容量復帰判定手段と、前記容量復帰判定手段によって前記記憶手段の空き容量が所定容量以上に復帰したと判定された場合に前記表示制限手段による表示内容の制限を解除する表示制限解除手段と、を有することを特徴とする。
【００１０】
また、請求項３に係るファクシミリ装置は、請求項１又は請求項２に記載のファクシミリ装置であって、前記動画データは複数の画像データから構成され、前記動画表示手段に表示される動画は前記複数の画像データに基づく静止画像を所定タイミングで切り替えて表示するスライドショーであり、前記表示制限手段は前記静止画像の切り替えを中断することを特徴とする。
【００１１】
また、請求項４に係るファクシミリ装置は、請求項３に記載のファクシミリ装置であって、前記表示制限解除手段は前記容量復帰判定手段によって前記記憶手段の空き容量が所定容量以上に復帰したと判定された場合に前記表示制限手段によって切り替えが中断された静止画像から切り替えを再開することを特徴とする。
【００１２】
また、請求項５に係るファクシミリ装置は、請求項１又は請求項２に記載のファクシミリ装置であって、前記表示制限手段は前記動画表示手段において前記動画の表示を中断するとともに、前記動画に対応する音声を継続して再生することを特徴とする。
【００１３】
また、請求項６に係るファクシミリ装置は、請求項５に記載のファクシミリ装置であって、前記表示制限解除手段は前記容量復帰判定手段によって前記記憶手段の空き容量が所定容量以上に復帰したと判定された場合に再生されている音声と同期する地点から前記動画の表示を再開することを特徴とする。
【００１４】
また、請求項７に係るファクシミリ装置は、請求項１又は請求項２に記載のファクシミリ装置であって、前記表示制限手段は前記動画表示手段で表示される動画の解像度を下げることを特徴とする。
【００１５】
また、請求項８に係るファクシミリ装置は、請求項１又は請求項２に記載のファクシミリ装置であって、前記表示制限手段は前記動画表示手段で表示される動画の表示サイズを縮小することを特徴とする。
【００１６】
更に、請求項９に係るファクシミリ装置の動画再生方法は、外部からイメージデータをファクシミリデータとして受信するとともに受信したファクシミリデータを記憶手段に記憶するデータ受信ステップと、前記記憶手段に記憶された動画データに基づいて動画を表示する動画表示ステップと、を備えたファクシミリ装置の動画再生方法において、動画表示ステップで動画を表示中であって、前記データ受信ステップによりファクシミリデータを受信した際に、前記記憶手段の空き容量が所定容量未満であるか否か判定する容量判定ステップと、前記容量判定ステップによって前記記憶手段の空き容量が所定容量未満であると判定された場合に前記動画の表示を継続して行いつつ動画の表示内容を制限する表示制限ステップと、を有することを特徴とする。
【発明の効果】
【００１７】
請求項１に係るファクシミリ装置では、動画の表示中にファクシミリデータを受信した際に、記憶手段の空き容量が所定容量未満であるか否か判定し、所定容量未満であると判定された場合に動画の表示を継続して行いつつ動画の表示内容を制限するので、ファクリミリデータの受信を確実に行いつつも、動画の表示を終了させてしまうことが無い。従って、ユーザに対して継続して動画の鑑賞を可能とし、ユーザの利便性を向上させる。
【００１８】
また、請求項２に係るファクシミリ装置では、記憶手段の空き容量が所定容量未満であると判定された後に記憶手段の空き容量が所定容量以上に復帰した場合に表示制限手段による表示内容の制限を解除するので、ファクリミリデータの受信を確実に行いつつも、不要な表示内容の制限が行われることを防止できる。従って、ユーザの動画の鑑賞を妨げる機会を少しでも減少させることが可能となる。
【００１９】
また、請求項３に係るファクシミリ装置では、動画表示手段に表示される動画は複数の画像データに基づく静止画像を所定タイミングで切り替えて表示するスライドショーであり、静止画像の切り替えを中断することにより表示内容を制限するので、記憶手段の空き容量を十分に確保しつつもスライドショーを終了させずに、ユーザに対して継続して動画の鑑賞を行わせることが可能となる。
【００２０】
また、請求項４に係るファクシミリ装置では、記憶手段の空き容量が所定容量以上に復帰したと判定された場合に切り替えが中断された静止画像からスライドショーの切り替えを再開するので、ユーザは表示内容が制限される前の状態からの続きを別途操作を行う必要なく鑑賞することが可能となる。
【００２１】
また、請求項５に係るファクシミリ装置では、動画の表示を中断するとともに動画に対応する音声を継続して再生することにより表示内容を制限するので、記憶手段の空き容量を十分に確保しつつも動画の内容をある程度ユーザに把握させた状態で継続して動画の鑑賞を行わせることが可能となる。また、表示内容の制限が行われたとしても、動画の鑑賞時間が延長することなく、ユーザの利便性が向上する。
【００２２】
また、請求項６に係るファクシミリ装置では、記憶手段の空き容量が所定容量以上に復帰したと判定された場合に再生されている音声と同期する地点から動画の表示を再開するので、表示内容が制限されたとしても動画の再生を中断させることなく、ユーザは継続して動画の鑑賞を行うことが可能となる。また、表示内容の制限が行われたとしても、動画の鑑賞時間が延長することなく、ユーザの利便性が向上する。
【００２３】
また、請求項７に係るファクシミリ装置では、表示される動画の解像度を下げることによって表示内容を制限するので、記憶手段の空き容量を十分に確保しつつも動画の内容をユーザに把握させた状態で継続して動画の鑑賞を行わせることが可能となる。また、表示内容の制限が行われたとしても、動画の鑑賞時間が延長することなく、ユーザの利便性が向上する。
【００２４】
また、請求項８に係るファクシミリ装置では、表示される動画の表示サイズを縮小することによって表示内容を制限するので、記憶手段の空き容量を十分に確保しつつも動画の内容をユーザに把握させた状態で継続して動画の鑑賞を行わせることが可能となる。また、表示内容の制限が行われたとしても、動画の鑑賞時間が延長することなく、ユーザの利便性が向上する。
【００２５】
更に、請求項９に係るファクシミリ装置の動画再生方法では、動画の表示中にファクシミリデータを受信した際に、記憶手段の空き容量が所定容量未満であるか否か判定し、所定容量未満であると判定された場合に動画の表示を継続して行いつつ動画の表示内容を制限するので、ファクリミリデータの受信を確実に行いつつも、動画の表示を終了させてしまうことが無い。従って、ユーザに対して継続して動画の鑑賞を可能とし、ユーザの利便性を向上させる。
【発明を実施するための最良の形態】
【００２６】
以下、本発明に係るファクシミリ装置及びファクシミリ装置の動画再生方法について複合機１に具体化した一実施形態に基づいて図面を参照しつつ詳細に説明する。
【００２７】
先ず、本実施形態に係る複合機１の構成について図１及び図２に基づいて説明する。図１は、ファクシミリ装置の一例である複合機１の外観斜視図である。図２は複合機１の構成を示す電気ブロック図である。
【００２８】
本実施形態に係る複合機１は、当該装置全体を統括制御するＣＰＵ１０、ＣＰＵ１０の動作に必要なプログラムやデータ等を記憶するメモリ（ＲＯＭ１１及びＲＡＭ１２）を備える。そして、ＣＰＵ１０は、バス１３を介して、スキャナ部２１、プリンタ部２３、回線制御部２５などの装置各部を制御し、ファクシミリ機能、プリンタ機能、コピー機能などを実現する。
【００２９】
スキャナ部２１は、ＦＡＸ送信（即ち、ファクシミリデータの送信）やコピー（原稿の複写）などの際に、原稿の内容を読み取る読取部である。本実施形態に係るスキャナ部２１は、文字や絵などの画像が形成された原稿を複合機１の給紙トレイ３１（図１参照）から取得する。そして、原稿から光学的に画像を読み取り、読取結果としての画像データを生成する。
【００３０】
一方、プリンタ部２３は、カラー画像やモノクロ画像を記録紙に形成（印刷）するための画像形成手段として機能する。本実施形態のプリンタ部２３は、外部（例えば、ネットワーク接続又はローカル接続されたパーソナルコンピュータ３２）から印刷用の画像データが入力されると、その画像データに基づく画像を記録紙に形成する。
【００３１】
この他、回線制御部２５は、公衆電話回線網に対するダイヤル信号の送出や、公衆電話回線網からの呼出信号に対する応答等の動作を行うためのものである。この回線制御部２５は、建造物内に配設された電話線を介して外部ネットワークとしての公衆電話回線網３３に接続され、その公衆電話回線網３３を介し外部の通信端末（ファクシミリ装置３４や電話機端末など）との間で、ファクシミリデータの送受信や音声通信などを行う。
【００３２】
また、回線制御部２５に繋がるモデム３５は、ファクシミリデータを公衆電話回線網送出用の通信信号に変換したり、公衆電話回線網３３からの受信信号を復調してファクシミリデータの抽出を行うためのものである。その他、複合機１には外部の電話機端末との音声通信を可能とするためのハンドセット３６が回線制御部２５に接続されている。
【００３３】
また、本実施形態に係る複合機１は、図１に示すように筐体４の外壁面に液晶ディスプレイ（ＬＣＤ）３７や、複数の操作キーからなる操作部３８などを備える。ＬＣＤ３７はメニュー画面や写真、動画等を表示する表示手段であり、静止画像を所定時間間隔で切り替えて表示する所謂スライドショーを表示することも可能である。また、操作部３８はユーザの操作を受け付ける受付手段であり、ユーザの操作によって操作部３８から各種指令が入力されると、指令の種類に応じた処理をＣＰＵ１０にて実行する。
【００３４】
例えば、複合機１は操作部３８からＦＡＸ送信指令が入力されると、スキャナ部２１を用いて、原稿から光学的に画像を読み取りファクシミリデータを生成する。その後、モデム３５及び回線制御部２５を介して、公衆電話回線網３３に接続された外部のファクシミリ装置３４に、生成したファクシミリデータを送信する。また、複合機１は、外部のファクシミリ装置３４からファクシミリデータが送信されると、そのファクシミリデータを回線制御部２５及びモデム３５を介して取得し、そのファクシミリデータに基づく画像をプリンタ部２３に形成させる（ファクシミリ機能）。
【００３５】
この他、本実施形態に係る複合機１は、操作部３８からコピー指令が入力されると、スキャナ部２１にて、原稿から画像を読み取る。次に、読み取った画像データをプリンタ部２３に入力して、プリンタ部２３に、その画像データに基づく画像を記録紙に形成させる（コピー機能）。
【００３６】
また、本実施形態の複合機１は音声を出力するスピーカ４１を備えている。その他、複合機１は、ＳＤカードなどのメモリカード４２に対し、各種データの読出及び書込を行うためのメディアドライブ４３を備えている。そして、メモリカード４２に対してデジタルカメラ等で撮像された画像データが記憶されていた場合には、記憶された画像データに基づく画像をＬＣＤ３７に対して表示することが可能である。更に、複数の画像データが記憶されていた場合には、各画像データに対応する複数の画像を所定時間間隔で切り替えてＬＣＤ３７に表示するスライドショーを行うことも可能である（スライドショー再生機能）。
【００３７】
また、本実施形態の複合機１は、ＵＳＢ（Universal Serial Bus）インタフェース４５及びＬＡＮ（Local Area Network）インタフェース４６を備えており、ＵＳＢインタフェース４５を介してローカル接続されたパーソナルコンピュータ３２から画像データを受信したり、ＬＡＮインタフェース４６を介してネットワーク接続されたパーソナルコンピュータから画像データを受信すると、プリンタ部２３は受信した画像データに基づく画像を記録紙に形成する（プリンタ機能）。更に、インターネット網４７を介してサーバ４８から配信された動画の映像をＬＣＤ３７に表示するとともに、音声をスピーカ４１から出力することも可能である（動画再生機能）。
【００３８】
続いて、図３を用いて本実施形態に係る複合機１のＲＡＭ１２の記憶領域について説明する。図３はＲＡＭ１２の記憶領域について示した模式図である。
図３に示すように、ＲＡＭ１２の記憶領域は領域のサイズが状況によって変化する可変領域１２Ａと、常に一定サイズの領域を有する固定領域１２Ｂとから基本的に構成される。
【００３９】
可変領域１２Ａは、他のファクシミリ装置３４に対して送信する為のファクリミリデータ（送信データ）、他のファクシミリ装置３４から受信したファクリミリデータ（受信データ）、スキャナ部２１で読み取ったイメージデータ等からなる記録データ、スライドショーの画像を通常サイズで表示する為に必要なメモリであるスライドショー拡張メモリ、動画を再生する為に必要なメモリである動画再生用メモリ等によって構成される。
【００４０】
一方、固定領域１２Ｂは、複合機１のシステムに関するシステムデータ、プリンタ機能や動画再生機能など各機能で常時必要なメモリ、液晶表示用のメモリ（ＶＲＡＭ）等によって構成される。尚、各機能で常時必要なメモリは、例えば、スライドショー再生機能においては画像（写真）を１／４サイズで表示する為に最低限必要となるサイズのメモリであり、動画再生機能においては音声のみを出力する為に最低限必要となるサイズのメモリである。
【００４１】
また、ＶＲＡＭは、一旦ＲＡＭ１２に対して展開された動画を構成する画像データが一時的に記憶される記憶手段であり、ＶＲＡＭに記憶された画像データに対してガイダンスの文字等の描画を行う。
【００４２】
ここで、図４を用いて特にスライドショーを表示する際に用いられるＲＡＭ１２の可変領域１２Ａと固定領域１２Ｂについて説明する。ここでスライドショーの表示を行う場合には、メモリカード４２に記憶された画像データ（ＪＰＥＧファイル）をＢＭＰデータに変更してＲＡＭ１２の可変領域１２Ａに格納する。その後、ＲＡＭ１２の可変領域１２Ａに格納されたＢＭＰデータをＶＲＡＭ４０にコピーし、ＶＲＡＭ４０に記憶されたデータをＬＣＤ３７へと転送することにより、画像が表示される。そして、所定時間経過後に別の画像データを同様にして処理することによりスライドショーの表示が行われる。そして、ＢＭＰデータをＲＡＭ１２の可変領域１２Ａに格納する際には、画像サイズを小さくしたり解像度を下げることによって、必要となる容量を減らすことが可能である。
尚、本実施形態では、画像を１／４サイズで表示する為に最低限必要となるサイズのメモリ（スライドショー縮小メモリ）が固定領域１２Ｂとなる。
【００４３】
次に、複合機１においてスライドショー再生機能に基づいて実行されるスライドショー表示処理について、図５を参照して説明する。図５はスライドショー表示処理のフローチャートである。尚、以下の図５に示す処理は、複数の画像データが記憶されたメモリカード４２がメディアドライブ４３に挿入され、更に、図８（１）に示すようにユーザによってスライドショーを開始する為の所定の操作が操作部３８で行われた場合に複合機１のＣＰＵ１０によって実行される。
【００４４】
先ず、スライドショー表示処理ではＣＰＵ１０は、ステップ（以下、Ｓと略す）１において、他のファクシミリ装置３４からファクシミリデータを受信中であるか否か判定する。そして、ファクシミリデータを受信中でないと判定された場合（Ｓ１：ＮＯ）には、動画（スライドショー）の表示内容を制限しない通常処理が行われる（Ｓ２）。具体的には、制限フラグがＯＦＦされる。その後、Ｓ５で後述するスライドショー開始処理が行われる（図６参照）。
【００４５】
一方、ファクシミリデータを受信中であると判定された場合（Ｓ１：ＹＥＳ）には、更に、ＲＡＭ１２の可変領域１２Ａ（図３参照）の空き容量が第１所定量以上であるか否か判定される（Ｓ３）。ここで、前記Ｓ３で判定される第１所定量は、スライドショー拡張用メモリを確保する為の判定値（スライドショーで拡大画像表示に切り替える為の判定値）であり、具体的には、Ａ４原稿２０頁分のファクシミリデータを記憶できる容量である。
【００４６】
そして、ＲＡＭ１２の可変領域１２Ａの空き容量が第１所定量以上であると判定された場合（Ｓ３：ＹＥＳ）にはＳ２へと移行し、動画（スライドショー）の表示内容を制限しない通常処理が行われる（Ｓ２）。具体的には、制限フラグがＯＦＦされる。
【００４７】
それに対して、ＲＡＭ１２の可変領域１２Ａの空き容量が第１所定量未満であると判定された場合（Ｓ３：ＮＯ）にはＳ４へと移行し、動画（スライドショー）の表示内容を制限する制限処理が行われる。具体的には、動画（スライドショー）の表示内容を制限する旨を報知する制限メッセージをＬＣＤ３７に対して表示し（図９（５）、図１０（５）´参照）、制限フラグがＯＮされる。その後、Ｓ５で後述するスライドショー開始処理が行われる（図６参照）。
【００４８】
次に、Ｓ６でＣＰＵ１０はスライドショーの終了要求があったか否かを判定する。ここで、スライドショーの終了要求は、ユーザによってスライドショーを終了する為の所定の操作が操作部３８で行われた場合に出力される。そして、スライドショーの終了要求があったと判定された場合（Ｓ６：ＹＥＳ）には、スライドショー表示処理を終了する。
【００４９】
一方、スライドショーの終了要求がないと判定された場合（Ｓ６：ＮＯ）には、制限フラグがＯＮされているか否かを判定する（Ｓ７）。尚、制限フラグはＳ４及びＳ１０でＯＮされ、Ｓ２及びＳ１２でＯＦＦされる。
【００５０】
そして、制限フラグがＯＦＦされていると判定された場合（Ｓ７：ＮＯ）には、再び他のファクシミリ装置３４からファクシミリデータを受信中であるか否か判定する（Ｓ８）。そして、ファクシミリデータを受信中でないと判定された場合（Ｓ８：ＮＯ）には、作業用メモリの制限を行うことなく、Ｓ１３へと移行する。一方、ファクシミリデータを受信中であると判定された場合（Ｓ８：ＹＥＳ）には、更に、ＲＡＭ１２の可変領域１２Ａ（図３参照）の空き容量が第２所定量以上であるか否か判定される（Ｓ９）。ここで、前記Ｓ９で判定される第２所定量は、スライドショー拡張用メモリを解放する為の判定値（スライドショーで縮小画像表示に切り替える為の判定値）であり、具体的には、Ａ４原稿２頁分のファクシミリデータを記憶できる容量である。
【００５１】
そして、ＲＡＭ１２の可変領域１２Ａの空き容量が第２所定量以上であると判定された場合（Ｓ９：ＹＥＳ）には作業用メモリの制限を行うことなく、Ｓ１３へと移行する。
【００５２】
それに対して、ＲＡＭ１２の可変領域１２Ａの空き容量が第２所定量未満であると判定された場合（Ｓ９：ＮＯ）にはＳ１０へと移行し、ＲＡＭ１２の作業用メモリを制限する作業メモリ制限処理が行われる。具体的には、可変領域からスライドショー拡張メモリを解放し、動画（スライドショー）の表示内容を制限する旨を報知する制限メッセージをＬＣＤ３７に対して表示し（図９（５）、図１０（５）´参照）、制限フラグがＯＮされる。その後、Ｓ１３へと移行する。
ここで、既に図４に示したようにスライドショーを表示する際には、メモリカード４２に記憶された画像データ（ＪＰＥＧファイル）をＢＭＰデータに変更してＲＡＭ１２の可変領域１２Ａに格納する。その際、通常サイズで画像を表示するために必要なのがスライドショー拡張メモリである。従って、前記Ｓ１０ではこのスライドショー拡張メモリを解放することによって、ＲＡＭの空き容量を増加させる。
【００５３】
一方、前記Ｓ７の判定処理で制限フラグがＯＮされていると判定された場合（Ｓ７：ＹＥＳ）には、ＲＡＭ１２の可変領域１２Ａの空き容量が第１所定量以上に復帰したか否か判定される（Ｓ１１）。
【００５４】
そして、ＲＡＭ１２の可変領域１２Ａの空き容量が第１所定量以上に復帰したと判定された場合（Ｓ１１：ＹＥＳ）にはＳ１２へと移行し、前記Ｓ１０で制限されたＲＡＭ１２の作業用メモリの制限を解除する作業メモリ制限解除処理が行われる。具体的には、可変領域からスライドショー拡張メモリを確保し、制限フラグがＯＦＦされる。
それによって、スライドショーの切り替えが中断されていた場合には、現在表示されている静止画像から切り替えを再開する。また、画像の解像度が下げられていた場合には、解像度を元に戻す。更に、画像サイズが縮小されていた場合には通常サイズへと戻す。
【００５５】
Ｓ１２の処理を行った後にはＳ１３へと移行する。それに対して、ＲＡＭ１２の可変領域１２Ａの空き容量が第１所定量未満であると判定された場合（Ｓ１１：ＮＯ）には、作業メモリの制限解除を行うことなくＳ１３へと移行する。
【００５６】
更に、Ｓ１３ではスライドショーにおいてＬＣＤ３７に現在表示されている画像を他の画像に切り替える時間（例えば、現在の画像が表示されてから５ｓｅｃ後）となったか否か判定する。
【００５７】
そして、画像を切り替える時間となったと判定された場合（Ｓ１３：ＹＥＳ）には、Ｓ１４へと移行し、後述の写真表示切替処理（図７参照）を行う。その後、Ｓ６の判定処理へと戻る。一方、画像を切り替える時間でないと判定された場合（Ｓ１３：ＮＯ）には、Ｓ６へと移行する。
【００５８】
次に、前記Ｓ５において実行するスライドショー開始処理について図６、図８〜図１０に基づいて説明する。図６は本実施形態に係るスライドショー開始処理のフローチャートである。また、図８〜図１０はスライドショー表示処理の実行時においてＬＣＤ３７に表示される表示画面を示した図である。
【００５９】
先ず、Ｓ２１でＣＰＵ１０は制限フラグがＯＮされているか否かを判定する。尚、制限フラグはＳ４及びＳ１０でＯＮされ、Ｓ２及びＳ１２でＯＦＦされる。
【００６０】
そして、制限フラグがＯＦＦであると判定された場合（Ｓ２１：ＮＯ）には、ＲＡＭ１２の可変領域１２Ａからスライドショー拡張メモリを確保する。
【００６１】
そして、Ｓ２３でＣＰＵ１０は、図７（２）に示すようにＬＣＤ３７に対して砂時計を表示する。次に、Ｓ２４でＣＰＵ１０は次にＬＣＤ３７に対して表示する画像の準備が完了したか否か判定する。
【００６２】
その結果、表示する画像の準備が完了したと判定された場合（Ｓ２４：ＹＥＳ）には、Ｓ２５へと移行する。一方、表示する画像の準備が完了していないと判定された場合（Ｓ２４：ＮＯ）には、準備が完了するまで砂時計を表示した状態で待機する。
【００６３】
続いて、Ｓ２５でＣＰＵ１０は制限フラグがＯＮされているか否かを判定する。そして、制限フラグがＯＦＦされていると判定された場合（Ｓ２５：ＮＯ）には、スライドショー拡張メモリ（図４参照）を用いて、図８（３）に示すように通常サイズで画像を表示する（Ｓ２６）。
【００６４】
それに対して、制限フラグがＯＮされていると判定された場合（Ｓ２５：ＹＥＳ）には、動画制限時の表示モードが静止画モードに設定されているか判定する（Ｓ２７）。ここで、動画制限時の表示モードは、静止画モードと縮小モードがある。そして、縮小モードである場合には、図９（４）〜（６）に示すようにファクシミリデータを受信した際に、スライドショーの表示は、画像サイズを１／４に縮小した状態で継続して行われる（Ｓ２８）。一方、静止画モードである場合には、図１０（４）´〜（６）´に示すようにファクシミリデータを受信した際に、後述する写真表示切替処理（図７）で画像の切り替えが行われず、結果的に切り替えを一時停止した状態でスライドショーの表示が継続して行われる。尚、画像サイズを縮小する代わりに、解像度を下げても良い。
【００６５】
次に、前記Ｓ１４において実行する写真表示切替処理について図７に基づいて説明する。図７は本実施形態に係る写真表示切替処理のフローチャートである。
【００６６】
先ず、Ｓ３１でＣＰＵ１０は次にＬＣＤ３７に対して表示する表示画像の準備が完了したか否かを判定する。その結果、表示する画像の準備が完了したと判定された場合（Ｓ３１：ＹＥＳ）には、Ｓ３２へと移行する。一方、表示する画像の準備が完了していないと判定された場合（Ｓ３１：ＮＯ）には、準備が完了するまで待機する。
【００６７】
続いて、Ｓ３２でＣＰＵ１０は制限フラグがＯＮされているか否かを判定する（Ｓ３２）。尚、制限フラグはＳ４及びＳ１０でＯＮされ、Ｓ２及びＳ１２でＯＦＦされる。
【００６８】
そして、制限フラグがＯＦＦであると判定された場合（Ｓ３２：ＮＯ）には画像の切り替えを行い、スライドショー拡張メモリ（図４参照）を用いて、図８（３）に示すように通常サイズで新たな画像を表示する（Ｓ３３）。
【００６９】
それに対して、制限フラグがＯＮされていると判定された場合（Ｓ３２：ＹＥＳ）には、動画制限時の表示モードが静止画モードに設定されているか判定する（Ｓ２７）。そして、静止画モードに設定されていると判定された場合（Ｓ３４：ＹＥＳ）には、画像の切り替えを行わずに現在表示されている画像を継続して表示する。
【００７０】
一方、縮小モードに設定されていると判定された場合（Ｓ３４：ＮＯ）には、画像の切り替えを行い、スライドショー縮小メモリ（図４参照）を用いて、図９（６）に示すように通常の１／４サイズで新たな画像を表示する（Ｓ３５）。その後、Ｓ６の判定処理へと戻る。尚、画像サイズを縮小する代わりに、解像度を下げても良い。
【００７１】
次に、複合機１において動画再生機能に基づいて実行される動画再生処理について、図１１を参照して説明する。図１１は動画再生処理のフローチャートである。尚、以下の図１１に示す処理は、動画データが記憶されたメモリカード４２がメディアドライブ４３に挿入されるか、又はサーバ４８から動画データが配信された場合であって、更に、図１３（１）、（２）に示すようにユーザによって動画の再生を開始する為の所定の操作が操作部３８で行われた場合に複合機１のＣＰＵ１０によって実行される。
【００７２】
先ず、動画再生処理ではＣＰＵ１０は、Ｓ４１において、他のファクシミリ装置３４からファクシミリデータを受信中であるか否か判定する。そして、ファクシミリデータを受信中でないと判定された場合（Ｓ４１：ＮＯ）には、動画の表示内容を制限しない通常処理が行われる（Ｓ４２）。具体的には、制限フラグがＯＦＦされる。その後、Ｓ４５で後述する動画再生開始処理が行われる（図１２参照）。
【００７３】
一方、ファクシミリデータを受信中であると判定された場合（Ｓ４１：ＹＥＳ）には、更に、ＲＡＭ１２の可変領域１２Ａ（図３参照）の空き容量が第１所定量以上であるか否か判定される（Ｓ４３）。ここで、前記Ｓ４３で判定される第１所定量は、動画（音声と映像）を再生するためのメモリを確保する為の判定値（音声のみの出力から映像を含めた動画再生に切り替える為の判定値）であり、具体的には、Ａ４原稿２０頁分のファクシミリデータを記憶できる容量である。
【００７４】
そして、ＲＡＭ１２の可変領域１２Ａの空き容量が第１所定量以上であると判定された場合（Ｓ４３：ＹＥＳ）にはＳ４２へと移行し、動画の表示内容を制限しない通常処理が行われる（Ｓ４２）。具体的には、制限フラグがＯＦＦされる。
【００７５】
それに対して、ＲＡＭ１２の可変領域１２Ａの空き容量が第１所定量未満であると判定された場合（Ｓ４３：ＮＯ）にはＳ４４へと移行し、動画の表示内容を制限する制限処理が行われる。具体的には、制限フラグがＯＮされる。その後、Ｓ４５で後述する動画再生開始処理が行われる（図１２参照）。
【００７６】
次に、Ｓ４６でＣＰＵ１０は、制限フラグがＯＮされているか否かを判定する（Ｓ４６）。尚、制限フラグはＳ４４でＯＮされ、Ｓ４２でＯＦＦされる。
【００７７】
そして、制限フラグがＯＦＦされていると判定された場合（Ｓ４６：ＮＯ）には、再び他のファクシミリ装置３４からファクシミリデータを受信中であるか否か判定する（Ｓ４７）。そして、ファクシミリデータを受信中でないと判定された場合（Ｓ４７：ＮＯ）には、作業用メモリの制限を行うことなく、Ｓ５０へと移行する。一方、ファクシミリデータを受信中であると判定された場合（Ｓ４７：ＹＥＳ）には、更に、ＲＡＭ１２の可変領域１２Ａ（図３参照）の空き容量が第２所定量以上であるか否か判定される（Ｓ４８）。ここで、前記Ｓ４８で判定される第２所定量は、動画（音声と映像）を再生するためのメモリを解放する為の判定値（映像を含めた動画再生から音声のみの出力に切り替える為の判定値）であり、具体的には、Ａ４原稿２頁分のファクシミリデータを記憶できる容量である。
【００７８】
そして、ＲＡＭ１２の可変領域１２Ａの空き容量が第２所定量以上であると判定された場合（Ｓ４８：ＹＥＳ）には作業用メモリの制限を行うことなく、Ｓ５０へと移行する。
【００７９】
それに対して、ＲＡＭ１２の可変領域１２Ａの空き容量が第２所定量未満であると判定された場合（Ｓ４８：ＮＯ）にはＳ４９へと移行し、ＲＡＭ１２の作業用メモリを制限する作業メモリ制限処理が行われる。具体的には、動画の表示内容を制限する旨を報知する制限メッセージをＬＣＤ３７に対して表示し、可変領域から動画再生用メモリを解放するために、動画表示を一時停止する（図１４（７）参照）。その後、Ｓ５０へと移行する。
ここで、動画を表示する際には、メモリカード４２に記憶された動画を構成する複数の画像データ（ＪＰＥＧファイル）をＢＭＰデータに変更してＲＡＭ１２の可変領域１２Ａに格納する。また、音声データについても同様にしてＲＡＭ１２の可変領域１２Ａに格納する。その際、動画を表示するとともに動画と同期して音声を出力するために必要なのが動画再生用メモリである。従って、前記Ｓ４９ではこの動画再生用メモリを解放することによって、ＲＡＭの空き容量を増加させる。
【００８０】
一方、前記Ｓ４６の判定処理で制限フラグがＯＮされていると判定された場合（Ｓ４６：ＹＥＳ）には、ＲＡＭ１２の可変領域１２Ａの空き容量が第１所定量以上に復帰したか否か判定される（Ｓ５１）。
【００８１】
そして、ＲＡＭ１２の可変領域１２Ａの空き容量が第１所定量以上に復帰したと判定された場合（Ｓ５１：ＹＥＳ）にはＳ５２へと移行し、前記Ｓ４９で制限されたＲＡＭ１２の作業用メモリの制限を解除する作業メモリ制限解除処理が行われる。具体的には、可変領域から動画再生用メモリを確保し、音声と同期する地点から動画の表示を再開する（図１４（８）参照）。
【００８２】
Ｓ５２の処理を行った後にはＳ５０へと移行する。それに対して、ＲＡＭ１２の可変領域１２Ａの空き容量が第１所定量未満であると判定された場合（Ｓ５１：ＮＯ）には、作業メモリの制限解除を行うことなくＳ５０へと移行する。
【００８３】
更に、Ｓ５０では動画再生の終了要求があったか否かを判定する。ここで、スライドショーの終了要求は、ユーザによってスライドショーを終了する為の所定の操作が操作部３８で行われた場合に出力される。そして、動画再生の終了要求があったと判定された場合（Ｓ５０：ＹＥＳ）には、動画再生処理を終了する。
【００８４】
一方、動画再生の終了要求がないと判定された場合（Ｓ５０：ＮＯ）には、Ｓ４６へと移行する。
【００８５】
次に、前記Ｓ４５において実行する動画再生開始処理について図１２、図１３、図１４に基づいて説明する。図１２は本実施形態に係る動画再生開始処理のフローチャートである。また、図１３、図１４は動画再生開始処理の実行時においてＬＣＤ３７に表示される表示画面を示した図である。
【００８６】
先ず、Ｓ６１でＣＰＵ１０は制限フラグがＯＮされているか否かを判定する。尚、制限フラグはＳ４４でＯＮされ、Ｓ４２でＯＦＦされる。
【００８７】
そして、制限フラグがＯＦＦであると判定された場合（Ｓ６１：ＮＯ）には、ＲＡＭ１２の可変領域１２Ａから動画再生用メモリを確保する。
【００８８】
そして、Ｓ６３でＣＰＵ１０は、図１４（３）に示すようにＬＣＤ３７に対して砂時計を表示する。次に、Ｓ６４でＣＰＵ１０は次にＬＣＤ３７に対して表示する動画の準備が完了したか否か判定する。
【００８９】
その結果、表示する動画の準備が完了したと判定された場合（Ｓ６４：ＹＥＳ）には、Ｓ６５へと移行する。一方、表示する動画の準備が完了していないと判定された場合（Ｓ６４：ＮＯ）には、準備が完了するまで砂時計を表示した状態で待機する。
【００９０】
続いて、Ｓ６５でＣＰＵ１０は、図１３（４）に示すように動画の表示を行うとともに、表示される動画に同期して音声を再生する（Ｓ６５、Ｓ６６）。
【００９１】
それに対して、制限フラグがＯＮされていると判定された場合（Ｓ６１：ＹＥＳ）には、音声の再生のみを行う（Ｓ６６）。尚、音声のみを再生するのではなく、画像サイズを縮小したり、解像度を下げて動画も表示するようにしても良い。
【００９２】
以上説明したように、本実施形態に係る複合機１及び複合機１での動画再生方法では、スライドショーや動画をＬＣＤ３７において表示する際にファクシミリデータを受信した場合に、ＲＡＭ１２の可変領域１２Ａの空き容量が状況に応じて第１所定量以上又は第２所定量以上あるか否かを判定し、第１所定量未満又は第２所定量未満であると判定された場合にスライドショーや動画の表示を継続して行いつつ表示内容を制限する（Ｓ２８、Ｓ３５、Ｓ４９）ので、ファクリミリデータの受信を確実に行いつつも、スライドショーや動画の表示を終了させてしまうことが無い。従って、ユーザに対して継続してスライドショーや動画の鑑賞を可能とし、ユーザの利便性を向上させる。
また、ＲＡＭ１２の可変領域１２Ａの空き容量が第１所定量以上又は第２所定量未満であると判定された後に空き容量が第１所定量以上に復帰した場合（Ｓ１１：ＹＥＳ）に、表示内容の制限を解除する（Ｓ１２）ので、ファクリミリデータの受信を確実に行いつつも、不要な表示内容の制限が行われることを防止できる。従って、ユーザの動画の鑑賞を妨げる機会を少しでも減少させることが可能となる。
また、スライドショーの表示を制限する場合には静止画像の切り替えを中断することにより表示内容を制限し、制限を解除する場合には切り替えが中断された静止画像からスライドショーの切り替えを再開するので、ユーザは表示内容が制限される前の状態からの続きを別途操作を行う必要なく鑑賞することが可能となる。
また、スライドショー以外の通常の動画表示を制限する場合には動画の表示を中断するとともに動画に対応する音声を継続して再生することにより表示内容を制限し、制限を解除する場合には再生されている音声と同期する地点から動画の表示を再開するので、表示内容が制限されたとしても動画の再生を中断させることなく、ユーザは継続して動画の鑑賞を行うことが可能となる。また、表示内容の制限が行われたとしても、動画の鑑賞時間が延長することなく、ユーザの利便性が向上する。
また、動画表示を制限する場合には、表示される動画の解像度を下げたり、表示サイズを縮小することにより表示内容を制限するので、記憶手段の空き容量を十分に確保しつつも動画の内容をユーザに把握させた状態で継続して動画の鑑賞を行わせることが可能となる。
【００９３】
尚、本発明は上記実施形態に限定されることはなく、本発明の要旨を逸脱しない範囲内で種々の改良、変形が可能であることは勿論である。
例えば、本実施形態ではスライドショー以外の通常の動画表示を制限する場合には、音声のみを出力することとしているが、動画の表示サイズを縮小したり、動画の解像度を下げることによって制限しても良い。
【００９４】
また、第１所定量及び第２所定量は表示する動画の種類によってそのサイズを変更するようにしても良い。
【図面の簡単な説明】
【００９５】
【図１】本実施形態に係る複合機の外観斜視図である。
【図２】本実施形態に係る複合機の構成を示す電気ブロック図である。
【図３】複合機のＲＡＭの記憶領域について示した模式図である。
【図４】スライドショーを表示する際に用いられる記憶領域について示した模式図である。
【図５】本実施形態に係るスライドショー表示処理のフローチャートである。
【図６】本実施形態に係るスライドショー開始処理のフローチャートである。
【図７】本実施形態に係る写真表示切替処理のフローチャートである。
【図８】スライドショー表示処理の実行時においてＬＣＤに表示される表示画面を示した図である。
【図９】縮小モードに設定されている場合でのスライドショーの表示内容制限時においてＬＣＤに表示される表示画面を示した図である。
【図１０】静止画モードに設定されている場合でのスライドショーの表示内容制限時においてＬＣＤに表示される表示画面を示した図である。
【図１１】本実施形態に係る動画再生処理のフローチャートである。
【図１２】本実施形態に係る動画再生開始処理のフローチャートである。
【図１３】動画再生処理の実行時においてＬＣＤに表示される表示画面を示した図である。
【図１４】動画の表示内容制限時においてＬＣＤに表示される表示画面を示した図である。
【符号の説明】
【００９６】
１            複合機
１０          ＣＰＵ
１１          ＲＯＭ
１２          ＲＡＭ
２５          回線制御部
３７          ＬＣＤ
４２          メモリカード
【図１】
2008211581.tif 000003
【図２】
2008211581.tif 000004
【図３】
2008211581.tif 000005
【図４】
2008211581.tif 000006
【図５】
2008211581.tif 000007
【図６】
2008211581.tif 000008
【図７】
2008211581.tif 000009
【図８】
2008211581.tif 000010
【図９】
2008211581.tif 000011
【図１０】
2008211581.tif 000012
【図１１】
2008211581.tif 000013
【図１２】
2008211581.tif 000014
【図１３】
2008211581.tif 000015
【図１４】
2008211581.tif 000016